(57)【要約】【課題】  洗濯機、更にはその隣に設置される洗面化粧台の設置位置の自由度を高めることができるフロア構造を提供する。【解決手段】  所定箇所に洗濯機用排水部を備えると共に外形形状が正方形に形成されたフロア本体と、該フロア本体の一辺の長さと略同一長さで所定幅を有するフロア延長部材とを備え、フロア本体を平面内で９０度ずつ回転させてその所望の辺側に洗濯機用排水部が位置し得るように構成すると共に、該フロア本体の浴室ユニットとの接続面となる一辺にフロア延長部材を連結して浴室ユニットと接続することを特徴とする。前記フロア延長部材は、フロア本体の本体フロア面と略面一状態のフロア面と、該フロア面の端部に形成された本体連結部及びドア連結部を有する。【選択図】  図２
2007009435.tif 000002
【特許請求の範囲】
【請求項１】
所定箇所に洗濯機用排水部を備えると共に外形形状が正方形に形成されたフロア本体と、該フロア本体の一辺の長さと略同一長さで所定幅を有するフロア延長部材とを備え、
前記フロア本体を平面内で９０度ずつ回転させてその所望の辺側に前記洗濯機用排水部が位置し得るように構成すると共に、該フロア本体の浴室ユニットとの接続面となる一辺に前記フロア延長部材を連結して浴室ユニットと接続することを特徴とするフロア構造。
【請求項２】
前記フロア延長部材は、フロア本体の本体フロア面と略面一状態のフロア面と、該フロア面の端部に形成された本体連結部及びドア連結部を有することを特徴とする請求項１に記載のフロア構造。
【請求項３】
前記フロア本体は、外周４辺に所定幅の壁乗り面がそれぞれ形成され、該壁乗り面のうち前記接続面に対応する一辺の壁乗り面が切断されて前記フロア延長部材が連結されることを特徴とする請求項１または２に記載のフロア構造。
【請求項４】
前記フロア本体は、複数の分割フロアが連結されて構成されていることを特徴とする請求項１ないし３のいずれかに記載のフロア構造。
【発明の詳細な説明】
【技術分野】
【０００１】
本発明は、例えばシステムバスルーム等の浴室ユニットと隣接する洗面脱衣室ユニット等のフロア構造に関する。
【背景技術】
【０００２】
一般的に、システムバスユニット（浴室ユニットという）と隣接する洗面脱衣室ユニットにおいては、フロア上の洗濯機用排水部が形成された箇所に洗濯機が設置され、その隣に洗面化粧台が設置される。従来、洗濯機１０５は、バスタブ１０８の設置位置の如何に拘らず、給排水の取り回しの特殊性等により、図７（ａ）（ｂ）に示すように浴室ユニット１０３側に設置される場合が多い。また、例えば一坪サイズの浴室ユニット１０３の場合、その浴室フロア１０４は一辺Ｌ１が１６００ｍｍの正方形に形成され、この浴室ユニット１０３に隣接される洗面脱衣室ユニット１０１のフロア１０２は、浴室ユニット１０３との接続部寸法を考慮してＬ１＝１６００ｍｍとＬ２＝１７００ｍｍの長方形に形成されている。なお、この種のフロア構造としては、例えば特許文献１が知られている。
【特許文献１】特開２０００−１８６３５３号公報
【発明の開示】
【発明が解決しようとする課題】
【０００３】
しかしながら、このような洗面脱衣室ユニット１０１のフロア構造においては、フロア１０２の外形形状が長方形であるため、予め形成された洗濯機用排水部の位置を任意の位置に動かすことができず、実際上、洗濯機１０５の設置位置、更にはその隣に設置される洗面化粧台１０６の設置位置が洗面脱衣室ユニット１０１の外壁に面する壁面１０１ａ側に特定されてしまい、洗濯機１０５と洗面化粧台１０６の設置位置の自由度が小さいという問題がある。
【０００４】
また、例えば洗面脱衣室ユニット１０１の外壁に面する壁面１０１ａに所望広さの窓を確保したい場合に、フロア１０２を１８０度回転させることにより壁面１０１ａと対向する壁面１０１ｃ側に洗濯機１０５と洗面化粧台１０６を設置することはできるものの、バスタブ１０８の残り水を利用したいという要望が覆い洗濯機１０５が浴室ユニット１０３から遠くなってしまう等の不都合が生じる。さらに、洗濯機１０５や洗面化粧台１０６を洗面脱衣室ユニット１０１の浴室ユニット１０３との接続面１０７と対向する壁面１０１ｂ側に設置したいというユーザーの希望に応えることも、洗濯機用排水部の形成位置との関係上、困難である。
【０００５】
本発明は、このような事情に鑑みてなされたもので、その目的は、洗濯機、更にはその隣に設置される洗面化粧台の設置位置の自由度を高めることができるフロア構造を提供することにある。
【課題を解決するための手段】
【０００６】
かかる目的を達成すべく、本発明のうち請求項１に記載の発明は、所定箇所に洗濯機用排水部を備えると共に外形形状が正方形に形成されたフロア本体と、該フロア本体の一辺の長さと略同一長さで所定幅を有するフロア延長部材とを備え、前記フロア本体を平面内で９０度ずつ回転させてその所望の辺側に前記洗濯機用排水部が位置し得るように構成すると共に、該フロア本体の浴室ユニットとの接続面となる一辺に前記フロア延長部材を連結して浴室ユニットと接続することを特徴とする。
【０００７】
そして、前記フロア延長部材は、請求項２に記載の発明のように、フロア本体の本体フロア面と略面一状態のフロア面と、該フロア面の端部に形成された本体連結部及びドア連結部を有することが好ましい。また、前記フロア本体は、請求項３に記載の発明のように、外周４辺に所定幅の壁乗り面がそれぞれ形成され、該壁乗り面のうち前記接続面に対応する一辺の壁乗り面が切断されて前記フロア延長部材が連結されることが好ましい。さらに、前記フロア本体は、請求項４に記載の発明のように、複数の分割フロアが連結されて構成されていることが好ましい。
【発明の効果】
【０００８】
本発明のうち請求項１に記載の発明によれば、所定箇所に洗濯機用排水部を備えるフロア本体の外形形状が正方形に形成され、このフロア本体の浴室ユニットとの接続面となる一辺にフロア延長部材が連結されて浴室ユニットに接続されるため、フロア本体を平面内で９０度ずつ回転させて所望の位置に洗濯機用排水部を移動させることにより、洗濯機と洗面化粧台を浴室ユニットとの接続面と対向する壁面側にも設置できる等、設置の自由度を高めることができる。
【０００９】
また、請求項２に記載の発明によれば、請求項１に記載の発明の効果に加え、フロア延長部材が、フロア本体の本体フロア面と略面一状態のフロア面と、このフロア面の端部に形成された本体連結部及びドア連結部を有するため、フロア面により本体フロア面を浴室ユニット側に確実に延長できると共に、ドア連結部にドア枠や接続枠を安定載置できたり、本体連結部にフロア本体を確実に連結できて、フロアの安定した設置状態を得ることができる。
【００１０】
また、請求項３に記載の発明によれば、請求項１または２に記載の発明の効果に加え、フロア本体の外周４辺に所定幅の壁乗り面がそれぞれ形成され、接続面に対応する一辺の壁乗り面が切断されてフロア延長部材が連結されるため、フロア本体を平面内で９０度回転させても切断した壁乗り面にフロア延長部材を確実に連結できると共に、他の壁乗り面上に壁面を載置できて、フロア本体や壁面の設置を簡単かつ確実に行うことができる。
【００１１】
さらに、請求項４に記載の発明によれば、請求項１ないし３に記載の発明の効果に加え、フロア本体が、複数の分割フロアが連結されて構成されているため、様々なフロアの大きさに柔軟に対応することが可能となる。
【発明を実施するための最良の形態】
【００１２】
以下、本発明の実施の形態を図面に基づいて詳細に説明する。
図１〜図５は、本発明に係わるフロア構造の一実施形態を示し、図１がフロアの分解斜視図、図２が浴室ユニットとの接続部分の縦断面図、図３が接続方法の説明図、図４及び図５が設置状態の平面図である。
【００１３】
図１に示すように、洗面脱衣室ユニット１（図４参照）のフロア２は、一坪内に納まる一辺の長さＬ１が例えば１６００ｍｍの正方形のフロア本体３と、このフロア本体３の一辺に連結されるフロア延長部材４とによって構成されている。前記フロア本体３は、樹脂成形によって形成された、本体フロア面３ａと、該本体フロア面３ａの外周４辺に所定幅で本体フロア面３ａより若干低く形成された壁乗り面３ｂと、この壁乗り面３ｂの外周４辺に一体形成された側面３ｃと、この側面３ｃ内側に形成された外周リブ３ｄや本体フロア面３ａの裏面に形成された多数のリブ３ｅ（図２参照）等によって１枚の略平板状に形成されている。また、フロア本体３の本体フロア面３ａの一辺のコーナ部には、洗濯機用排水部としての開口５が製造現場における型成形と同時もしくは後加工によって予め形成されている。
【００１４】
前記フロア延長部材４は、樹脂成形によってその長さがフロア本体３の一辺と同じ長さとなるように形成され、上面のフロア面４ａの幅方向の一端側には、フロア本体３の側面３ｃの高さと同一高さでその下端にリブ載置部４ｃを有する本体連結部４ｂが一体形成されている。また、フロア延長部材４のフロア面４ａの幅方向の他端側には、下方に突出する状態で、上面側にコ字状のドア連結部４ｄが一体形成されると共に下面側に支持部４ｅが一体形成されている。なお、このフロア延長部材４は、その長手方向の両端部が開放した形状でも良いし、両端部が側壁で閉塞された形状でも良い。また、フロア延長部材４の幅ｗは、例えばｗ＝１００ｍｍ程度に設定されて、フロア本体３の内寸を所定寸法大きくし、後述する一坪サイズの浴室ユニット１５が接続できるように構成されている。
【００１５】
そして、このフロア本体３とフロア延長部材４は、図２及び図３に示すようにして設置される。すなわち、先ず、フロア本体３とフロア延長部材４を準備し、図３（ａ）に示すように、フロア本体３の外周４辺の壁乗り面３ｂのうち、浴室ユニット１５が接続される所定の壁乗り面３ｂを二点鎖線で示す切断線Ｓ１の位置で切断する。この時、フロア本体３の壁乗り面３ｂの幅方向両端部の裏面側には、前記側面３ｃと外周リブ３ｄが位置しており、壁乗り面３ｂ（すなわち側面３ｃ）の切断により、その内側の外周リブ３ｄがフロア本体３の外側に露出した状態となる。
【００１６】
フロア本体３の一辺の壁乗り面３ｂを切断したら、図３（ｂ）に示すように、フロア延長部材４の本体連結部４ｂをフロア本体３の露出している外周リブ３ｄの外面に当接させて、図３（ｃ）に示す状態とする。この時、フロア延長部材４の本体連結部４ｂ下端のリブ載置部４ｃ上にフロア本体３の外周リブ３ｄの下端が載置される。そして、この状態で、図２に示すように、フロア本体３の外周リブ３ｄとフロア延長部材４の本体連結部４ｂの複数箇所を、シール材８を介してボルト９とナット１０で固定することにより、フロア本体３とフロア延長部材４が連結されて、本体フロア面３ａとフロア面４ａとが面一状態に設定される。
【００１７】
これによりフロア２が組み立てられ、このフロア２のフロア延長部材４の支持部４ｅを基礎６上の建築躯体７上にスペーサ１１で高さ調整（水平レベル出し）を行いつつ載置し、このフロア延長部材４のドア連結部４ｄにドア額縁等の接続枠１２を嵌め込む。そして、この接続枠１２に連結されたドア枠１３ａを浴室ユニット１５（図４参照）の浴室フロア１６に設けた支持部１７上に支持させることにより、洗面脱衣室ユニット１のフロア２と浴室ユニット１５の浴室フロア１６とが、接続枠１２やドア枠１３ａを介して略面一状態に接続されることになる。また、このように設置されたフロア本体３の外周３辺の壁乗り面３ｂ上には、図示しない壁面（壁パネル）が載置される。
【００１８】
そして、このように形成されたフロア２の開口５部分に、図４に示すように、洗濯機１８が設置されると共に、この洗濯機１８の側方に配管用の図示しない開口等を穿設して配管すること等により、洗面化粧台１９が設置される。これにより、洗面脱衣室ユニット１が浴室ユニット１５に一体的に接続され、浴室ユニット１５に対する洗濯機１８や洗面化粧台１９の設置位置が、浴室ユニット１５との接続面２０（すなわちフロア延長部材４）に対して直交する壁面１ａ側に設定されて、洗面脱衣室ユニット１が例えば従来と同様にして使用される。なお、この設置形態の場合は、洗面脱衣室ユニット１への出入り口は、矢印ロで示す３箇所のうちの一つが選択使用されることになる。 
【００１９】
一方、前記洗濯機１８と洗面化粧台１９を、図５に示すように、浴室ユニット１５との接続面２０と対向する壁面１ｂ側に設置する場合は、フロア本体３の外周４辺の壁乗り面３ｂのうち、開口５が形成されている辺と対向する辺の壁乗り面３ｂを図３（ａ）の三点鎖線で示す切断線Ｓ２の位置で切断し、この切断した部分に露出する外周リブ３ｄの外面にフロア延長部材４を当接して、前述したと同様の方法によりフロア本体３とフロア延長部材４を連結する。この時、フロア本体３が正方形に形成され、フロア延長部材４の長さがフロア本体３の一辺の長さと同一に設定されていることから、切断される壁乗り面３ｂの位置と開口５の位置が異なるのみで、フロア延長部材４とフロア本体３が前述したと同一構成で連結されることになる。
【００２０】
そして、このようにフロア本体３の開口５と対向する辺側にフロア延長部材４が連結されたフロア２と、浴室ユニット１５の浴室フロア１６とを図２に示すように接続することにより、図５に示すように、浴室ユニット１５に対する洗濯機１８や洗面化粧台１９の設置位置が、浴室ユニット１５との接続面２０と対向する壁面１ｂ側に設定されることになり、従来にない新たな設置形態が得られることになる。なお、この設置形態の場合は、洗面脱衣室ユニット１への出入り口は、矢印ロの位置のいずれかに設定されることになり、また、この場合、浴室ユニット１５内のバスタブ２１の設置位置は、図５に示す位置であっても良いし図４に示す位置であっても良い。
【００２１】
つまり、前記フロア２の場合、正方形のフロア本体３を図５の矢印イの如く水平面内で９０度回転させて、浴室ユニット１５との接続面２０にフロア延長部材４を連結することにより、洗濯機１８や洗面化粧台１９の設置位置を接続面２０と直交する壁面１ａ側や対向する壁面１ｂ側等の任意の位置に設定できて、浴室ユニット８内のバスタブ２１の設置位置と合わせ、設置形態のバリエーションが大幅に増えることになる。
【００２２】
このように、上記実施形態のフロア２にあっては、フロア本体３の外形形状が正方形に形成され、このフロア本体３の浴室ユニット１５との接続面２０となる一辺にフロア本体３の一辺と同一長さで所定幅ｗのフロア延長部材４を連結して浴室ユニット１５を接続するため、フロア本体３を平面内で９０度回転させることにより、洗濯機１８と洗面化粧台１９を浴室ユニット１５との接続面２０と対向する壁面１ｂ側にも設置することができる。その結果、洗濯機１８や洗面化粧台１９の設置の自由度を高めることができると共に、外壁に面する壁面１ａ側に洗濯機１８等を設置しない設置形態の場合に、洗面脱衣室ユニット１の壁面１ａに所望広さの窓等を簡単に設置することができる。
【００２３】
また、フロア本体３の外周４辺に所定幅の壁乗り面３ｂがそれぞれ形成され、接続面２０に対応する一辺の壁乗り面３ｂが切断されてフロア延長部材４が連結されるため、フロア本体３を平面内で９０度回転させて切断した壁乗り面３ｂにフロア延長部材４を確実に連結できて、一つの形状のフロア本体３を各種の設置形態に適用でき、設置の自由度を一層高めることができると共に、残り三辺の壁乗り面３ｂ上に壁パネルを載置できて、洗面脱衣室ユニット１のフロア２や壁パネルの設置を簡単かつ確実に行うことが可能となる。
【００２４】
さらに、フロア延長部材４が、フロア本体３の本体フロア面３ａと略面一状態のフロア面４ａと、このフロア面４ａの端部に形成された本体連結部４ｂ及びドア連結部４ｄを有するため、フロア面４ａにより本体フロア面３ａを浴室ユニット１５側に面一状態で延長できると共に、ドア連結部４ｄにドア枠１３ａや接続枠１２を載置係止させること等により、フロア延長部材４上にドア１３を良好に設置することができる。また、フロア本体３の壁乗り面３ｂを切断した際にその外側に外周リブ３ｄが位置するため、この外周リブ３ｄにフロア延長部材４の本体連結部４ｂを強固に連結でき、これらのことから、フロア２の安定した設置状態を得ることが可能となる。
【００２５】
また、フロア本体３の所定位置に開口５が予め形成されているため、施工現場で洗濯機排水用の開口５を形成する必要がなくなり、洗濯機１８の設置作業を容易に行うことができて、設置コストの低減化を図ること等が可能となる。さらにまた、フロア本体３が一坪内に納まるサイズに設定されているため、市場で多く使用されている一坪タイプの浴室ユニット１５に隣接される洗面脱衣室ユニット１のフロア２として好適に採用することができると共に、洗濯機１８や洗面化粧台１９の設置位置をユーザーの希望に的確に答えることができて、従来にない付加価値の高い洗面脱衣室ユニット１のフロア構造を提供することが可能となる。
【００２６】
ところで、上記実施形態においては、フロア延長部材４のドア連結部４ｄに接続枠１２を介してドア枠１３ａを連結したが、例えば図６に示すように構成することもできる。すなわち、フロア延長部材４を浴室ユニット１５側に延ばして、このフロア延長部材４に前記接続枠１２の機能を付加すると共に、端部に段差状のドア連結部４ｄを形成する。そして、このドア連結部４ｄ上に浴室フロア１６の支持部１７上に支持されたドア枠１３ａを載置して、フロア２と浴室フロア１６とを接続する。この例のフロア延長部材４においても、フロア本体３と別体で形成されることにより、フロア本体３の９０度回転が可能となって、上記した例と同様の作用効果を得ることができる他に、前記接続枠１２が不要となり、両フロア２、１６の接続作業の簡略化が図れることになる。
【００２７】
なお、上記実施形態においては、フロア本体３を１枚の平板状に形成したが、本発明はこの構成に限定されず、例えばフロア本体３を複数の分割フロアを連結することにより構成しても良い。この場合は、洗濯機排水用の開口５が設けられた分割フロアと、洗面化粧台１９の配管孔等が設けられる分割フロアとから構成したり、あるいは、三つ以上の分割フロアから構成することも可能である。また、上記実施形態においては、フロア本体３に洗濯機排水用の開口５のみを予め形成したが、洗面化粧台１９の配管孔や点検口等の開口を予め形成することもできるし、フロア本体３の形態も、本体フロア面３ａや側面３ｃ、外周リブ３ｄ等を樹脂成形によって一体成形した構成に限らず、例えば角材の上面側にベース板や上板を配置したフロア本体であっても良い。さらに、フロア本体３は、壁乗り面３ｂを切断することなく、またフロア延長部材４を連結せずに、洗面脱衣室ユニット以外のユニットのフロアとして利用することができる。また、上記実施形態における、フロア延長部材４の形状やフロア本体３への連結構造等も一例であって、本発明に係わる各発明の要旨を逸脱しない範囲において適宜に変更することができる。
【産業上の利用可能性】
【００２８】
本発明は、一坪タイプの洗面脱衣室ユニットに限らず、例えば１．５坪、１．７５坪、２坪、２．２５坪、２．５坪等の各種サイズの洗面脱衣室ユニット等にも適用できる。
【図面の簡単な説明】
【００２９】
【図１】本発明に係わるフロア構造の一実施形態を示す斜視図
【図２】同浴室ユニットとの接続部分の縦断面図
【図３】同接続方法の一例を示す説明図
【図４】同設置状態の平面図
【図５】同他の設置状態の平面図
【図６】同浴室ユニットとの他の接続状態を示す図２と同様の縦断面図
【図７】従来の洗面脱衣室ユニットの設置状態の平面図
【符号の説明】
【００３０】
１・・・洗面脱衣室ユニット、１ａ、１ｂ・・・壁面、２・・・フロア、３・・・フロア本体、３ａ・・・本体フロア面、３ｂ・・・壁乗り面、３ｃ・・・側面、３ｄ・・・外周リブ、４・・・フロア延長部材、４ａ・・・フロア面、４ｂ・・・本体連結部、４ｃ・・・リブ載置部、４ｄ・・・ドア連結部、４ｅ・・・支持部、５・・・開口、６・・・基礎、７・・・建築躯体、１２・・・接続枠、１３・・・ドア、１３ａ・・・ドア枠、１５・・・浴室ユニット、１６・・・浴室フロア、１８・・・洗濯機、１９・・・洗面化粧台、２０・・・接続面、２１・・・バスタブ、Ｓ１、Ｓ２・・・切断線。
【図１】
2007009435.tif 000003
【図２】
2007009435.tif 000004
【図３】
2007009435.tif 000005
【図４】
2007009435.tif 000006
【図５】
2007009435.tif 000007
【図６】
2007009435.tif 000008
【図７】
2007009435.tif 000009